(57)【特許請求の範囲】
【請求項１】
固定槽と、
前記固定槽の中を摺動軸方向に往復摺動可能に前記固定槽に設けられる第１のトレイと、
前記第１のトレイに前記摺動軸方向に間隔を置いて配置される２つの位置制限部と、
前記第１のトレイ上を前記摺動軸方向に往復摺動可能に位置制限されて、ハードディスクを搭載するための第２のトレイと、
前記第２のトレイに前記摺動軸方向に間隔を置いて配置される２つの押動部と、
を備え、
前記第２のトレイが前記摺動軸に沿ってある距離で摺動した後で、前記２つの押動部の一方は、前記２つの位置制限部の一方を押動し始め、前記第１のトレイが前記固定槽に押し入れられるようにし、
前記第２のトレイが前記固定槽から突出する方向に、前記摺動軸に沿って前記距離で摺動した後で、前記２つの押動部の他方は、前記２つの位置制限部の他方を押動し始め、前記第１のトレイが前記第２のトレイによって前記固定槽から引き出されるように構成されることを特徴とするハードディスク収納ユニット。
【請求項２】
前記第２のトレイは、前記第２のトレイが押し入れられる方向に設けられる第１の内縁と、前記第１の内縁と対向する位置に設けられる第２の内縁とを有し、前記第１の内縁及び前記第２の内縁がそれぞれ前記２つの押動部として機能する線状開口を更に含み、
前記２つの位置制限部は、それぞれ前記第１のトレイの第１の搭載面に接続され、前記線状開口の中に位置する凸柱である請求項１に記載のハードディスク収納ユニット。
【請求項３】
前記第２のトレイは、前記第２のトレイが押し入れられる方向に設けられる第１の内縁と、前記第１の内縁と対向する位置に設けられる第２の内縁とを有し、前記第１の内縁及び前記第２の内縁がそれぞれ前記２つの押動部として機能する線状開口を更に含み、
前記第１のトレイは、前記第１のトレイの第１の搭載面に接続され、前記線状開口の中に位置する線状凸縁を更に含み、
前記線状凸縁の２つの対向する端部は、それぞれ前記２つの位置制限部として機能する請求項１に記載のハードディスク収納ユニット。
【請求項４】
前記第１のトレイは、
前記第２のトレイを支持する第１の搭載面と、
前記第１の搭載面に隣接する側壁と、
前記側壁に位置し、前記第２のトレイが押し入れられる方向に設けられる第１の内縁と、前記第１の内縁と対向する位置に設けられる第２の内縁とを有し、前記第１の内縁及び前記第２の内縁がそれぞれ前記２つの位置制限部として機能する線状切欠きと、
を更に含む請求項１に記載のハードディスク収納ユニット。
【請求項５】
前記第２のトレイは、
前記ハードディスクを支持する第２の搭載面と、
前記第２の搭載面から前記第１のトレイの前記側壁に伸び、前記線状切欠きに摺動可能に摺接し、その２つの対向する外縁がそれぞれ前記２つの押動部として機能する延伸翼と、
を更に含む請求項４に記載のハードディスク収納ユニット。
【請求項６】
前記第２のトレイは、前記第２のトレイの末端に位置する少なくとも１つのストッパー
と、
ハードディスクが接続するコネクタを有するシャーシと、
を更に含み、
前記第２のトレイが前記固定槽から突出すると、前記ストッパーにより、前記ハードディスクを前記シャーシ内のコネクタから離れるように構成された請求項１に記載のハードディスク収納ユニット。
【請求項７】
複数の第１のコネクタを有するシャーシと、
前記シャーシ内に固定される固定槽と、前記固定槽の中を摺動軸方向に往復摺動可能に前記固定槽に設けられる第１のトレイと、前記第１のトレイ上を摺動軸方向に往復摺動可能に位置制限される第２のトレイと、前記第２のトレイに間隔を置いて配置される２つの押動部と、を備える複数のハードディスク収納ユニットと、
前記第２のトレイに配置されており、前記第１のコネクタの１つに挿抜可能に結合される第２のコネクタを有する複数のハードディスクと、
を具備し、
各前記ハードディスク収納ユニットの前記第２のトレイが前記摺動軸方向に沿って所定の距離で摺動した後で、前記２つの押動部の１つは、前記第１のトレイを押動し始め、前記第１のトレイが前記固定槽から引き出されるようにし、  各前記ハードディスク収納ユニットの前記第１のトレイが押動される前に、前記第１のコネクタの１つは、対応する前記第２のコネクタから離れるように構成されることを特徴とするディスクアレイ装置。
【発明の詳細な説明】
【技術分野】
【０００１】
本発明は、ディスクアレイ装置及びそのハードディスク収納ユニットに関する。
【背景技術】
【０００２】
既存のサーバ設備は、一般に、交換可能な複数のデータアクセサ、例えばハードディスク等を配置することで、コンピュータの機能を拡張又は強化する。
【０００３】
データアクセサをサーバ設備のシャーシ内に配置する形式には、いくつかの種類がある。例えば、ねじでデータアクセサを直接に搭載台に固定し、又は、ねじでスライドレールをデータアクセサの両側に固定してから搭載台内に滑り入れ、最後にねじ又はその他の固定素子を通じてデータアクセサを固定する。
【０００４】
また、ハードディスクを格納するスクリューレス緩衝構造において、緩衝部材を介してハードディスク側面に接続された取付レールと、取付レールに対応してハードディスクトレイの内面壁に固定されたレール溝とを備え、取り付けレールはレール溝に移動可能に係合され、緩衝部材は複数のねじと複数の衝撃吸収クッション部材とを有し、衝撃吸収クッション部材は取付レールの取り付け穴に固定され、ねじは、ハードディスクに取付レールを固定するために、衝撃吸収クッション部材及びハードディスク側面のねじ穴に締め付けられるものが提案されている（例えば、特許文献１参照）。
【先行技術文献】
【特許文献】
【０００５】
【特許文献１】中国実用新案公告第２６３６２９９号明細書
【発明の概要】
【発明が解決しようとする課題】
【０００６】
しかしながら、上記方法で、データアクセサを取り付ける場合や取り外す場合には、何れの場合でもねじの締緩作業が多く、過程が複雑で、操作が不便である。
【課題を解決するための手段】
【０００７】
本発明の一技術態様は、上記背景技術で言及した問題を解決するためのディスクアレイ装置及びそのハードディスク収納ユニットを提供することにある。
【０００８】
本発明の一実施形態によれば、ハードディスク収納ユニットは、固定槽と、第１のトレイと、２つの位置制限部と、第２のトレイと、２つの押動部と、を備える。第１のトレイは、固定槽に往復摺動可能に設けられる。この２つの位置制限部は、第１のトレイに間隔を置いて配置され、その間に引かれた仮想線が第１のトレイの摺動軸方向に平行である。第２のトレイは、第１のトレイに往復摺動可能に位置制限されて、ハードディスクを搭載するために用いられる。この２つの押動部は、第２のトレイに間隔を置いて配置され、何れも上記の仮想線が通る。第２のトレイが摺動軸方向に沿ってある距離で摺動した後で、押動部の一方は、１つの位置制限部を押動し始め、第１のトレイが最終的に固定槽に押し入れられるようにする。第２のトレイが固定槽から突出して、同じ距離を摺動した後で、押動部の他方は、別の位置制限部を押動し始め、第１のトレイが最終的に固定槽から引き出されるように構成される。
【０００９】
本発明の１つ又は複数の実施形態によれば、第２のトレイは、線状開口を更に含む。前記線状開口の２つの対向する内縁がそれぞれ上述した押動部として機能する。位置制限部は、それぞれ第１のトレイの第１の搭載面に接続され、線状開口の中に位置する凸柱である。
【００１０】
本発明の１つ又は複数の実施形態によれば、第２のトレイは、線状開口を更に含む。前記線状開口の２つの対向する内縁がそれぞれ押動部として機能する。第１のトレイは、第１の搭載面に接続され、線状開口の中に位置する線状凸縁を更に含む。線状凸縁の２つの対向する端部は、それぞれこの２つの位置制限部として機能する。
【００１１】
本発明の１つ又は複数の実施形態によれば、第１のトレイは、第１の搭載面と、側壁と、線状切欠きと、を更に含む。第１の搭載面は、第２のトレイを支持する。側壁は、搭載面に隣接する。線状切欠きは、側壁に位置し、その２つの対向する内縁がそれぞれこの２つの位置制限部として機能する。第２のトレイは、第２の搭載面と、延伸翼と、を更に含む。第２の搭載面は、ハードディスクを支持する。延伸翼は、第２の搭載面から第１のトレイの前記側壁に伸び、線状切欠きに摺動可能に摺接する。延伸翼の２つの対向する外縁は、それぞれこの２つの押動部として機能する。
【００１２】
本発明の１つ又は複数の実施形態によれば、第２のトレイは、複数の線状隆起部を更に含む。これらの線状隆起部は、互いに平行であり、前記ハードディスクに物理的に接触する。
【００１３】
本発明の１つ又は複数の実施形態によれば、第２のトレイは、盤体と、ハンドル部と、タング部（ｔｏｎｇｕｅ）と、操作部と、ばね素子と、を更に含む。ハンドル部は、盤体の末端に位置し、固定槽の外に位置し、内部空間を有する。タング部は、内部空間内に位置し、ハンドル部の表面から部分的に突出する。操作部は、内部空間内に位置し、タング部に接続され、ハンドル部の別の表面から部分的に突出する。ばね素子は、内部空間内に位置し、タング部とハンドル部を接続する。
【００１４】
本発明の１つ又は複数の実施形態によれば、固定槽の内壁は、係合ノッチを更に有する。第１のトレイが固定槽に滑り入ると、タング部は、係合ノッチ内に係合されるように構成される。
【００１５】
本発明の１つ又は複数の実施形態によれば、第２のトレイは、盤体における前記ハンドル部の対向側に位置する少なくとも１つのストッパーを更に含む。第２のトレイが固定槽から突出すると、このストッパーにより、ハードディスクがシャーシ内のコネクタから離れるように構成される。
【００１６】
本発明の１つ又は複数の実施形態によれば、第１のトレイは、第１の係止部を更に含む。固定槽は、第２の係止部を含む。第２の係止部で第１の係止部を係止することにより、第１のトレイは、固定槽から離れなくなるように構成される。
【００１７】
本発明の一実施形態によれば、ディスクアレイ装置は、シャーシと、複数のハードディスクと、複数の上記のようなハードディスク収納ユニットと、を具備する。シャーシは、複数の第１のコネクタを有する。各ハードディスクは、第１のトレイと第２のトレイに配置されており、第１のコネクタに挿抜可能に結合される第２のコネクタを有する。各ハードディスク収納ユニットの第２のトレイが摺動軸方向に沿って所定の距離で摺動した後で、１つの押動部は、第１のトレイを押動し始め、第１のトレイが最終的に固定槽から引き出されるように構成される。各ハードディスク収納ユニットの第１のトレイが押動される前に、その第１のコネクタは、対応する第２コネクタから離れるよう構成される。
【発明の効果】
【００１８】
以上をまとめると、本発明のハードディスク収納ユニットの設計によれば、使用者がその内のハードディスクを取り除き又は交換する場合に、工具を使用してねじを取り除かなくても、直接片手で持ち上げるだけで、ハードディスクを取り除き又は交換するという目的を達成することができる。
【図面の簡単な説明】
【００１９】
【図１】サーバ設備に組み合わせた本発明の一実施形態のディスクアレイ装置を示す模式図である。
【図２Ａ】本発明の一実施形態のハードディスク収納ユニットの第１の引出状態を示す模式図である。
【図２Ｂ】図２Ａのハードディスク収納ユニットの第２の引出状態を示す模式図である。
【図２Ｃ】図２Ａのハードディスク収納ユニットの収納状態を示す模式図である。
【図２Ｄ】図２Ａのハードディスク収納ユニットの第３の引出状態を示す模式図である。
【図３Ａ】ハードディスクをハードディスク収納ユニットから取り出すフローを示す模式図である。
【図３Ｂ】ハードディスクをハードディスク収納ユニットから取り出すフローを示す模式図である。
【図４Ａ】本発明の別の実施形態のハードディスク収納ユニットを示す斜視模式図である。
【図４Ｂ】本発明の他の実施形態のハードディスク収納ユニットを示す斜視模式図である。
【図５】本発明の更に別の実施形態のハードディスク収納ユニットを示す斜視模式図である。
【図６】本発明の各実施形態のハードディスク収納ユニットの係合ユニットを示す簡易な模式図である。
【発明を実施するための形態】
【００２０】
以下、図面で本発明の複数の実施形態を開示し、明確に説明するために、数多くの実務上の細部を下記の記載で合わせて説明する。しかしながら、理解すべきなのは、これらの実務上の細部が、本発明を制限するためのものではない。つまり、本発明の実施形態の一部において、これらの実務上の細部は、必要としない。また、図面を簡略化するために、ある従来慣用の構造及び素子は、図面において簡単で模式的に示される。
【００２１】
図１は、サーバ設備１００に組み合わせた本発明の一実施形態のディスクアレイ装置２００を示す模式図である。
【００２２】
図１を参照する。本発明のディスクアレイ装置２００は、シャーシ２１０と、複数のハードディスクユニット２２０と、を具備する。シャーシ２１０は、収納空間２１１及び複数の第１のコネクタ１１１（例えば、ハードディスク２２１の接続端子）を有する。第１のコネクタ１１１は、工具不要の接続コネクタであり、収納空間２１１内に配置される。これらのハードディスクユニット２２０は、集群の形態で収納空間２１１内に配列される。一例として、広義のアレイの配置方式で収納空間２１１内に畳設され、即ち、このアレイの行方向と列方向は、互いに直交しても、しなくてもよい。各ハードディスクユニット２２０は、ハードディスク収納ユニット２３０と、ハードディスク２２１と、を備える。各ハードディスク収納ユニット２３０は、単一のハードディスク（ｈａｒｄ  ｄｉｓｋ  ｄｒｉｖｅｒ；ＨＤＤ）２２１のみを収納する。各ハードディスク２２１は、第２のコネクタ２２２（例えば、ハードディスク２２１の接続端子）を有する。第２のコネクタ２２２は、工具不要の接続コネクタであり、第１のコネクタ１１１に挿抜可能に結合される。ハードディスク２２１は、一般的なハードディスク製品であり、また、ハードディスク外接ケースと組み合わせていないため、「バルク品のハードディスク」と認識してもよい。
【００２３】
図２Ａは、本発明の一実施形態のハードディスク収納ユニット２３０の第１の引出状態を示す模式図である。
【００２４】
図１及び図２Ａを参照する。各ハードディスク収納ユニット２３０は、筐体２３１と、第１のトレイ２４０と、第２のトレイ２５０と、を備える。筐体２３１は、固定槽２３３を内蔵し、シャーシ２１０の収納空間２１１内に固定される（例えば、ねじで固定する）（図１）。第１のトレイ２４０は、固定槽２３３内に往復摺動可能に設けられるため、摺動軸方向Ｓに沿って固定槽２３３を往復で滑り入り又は滑り出ることができる。第１のトレイ２４０に２つの位置制限部２４４が間隔を置いて配置される。この２つの位置制限部２４４の間に引かれた仮想線Ｌは、摺動軸方向Ｓに対して平行である。第２のトレイ２５０は、第１のトレイ２４０に往復摺動可能に位置制限されるため、前記摺動軸方向Ｓに沿って第１トレイ２４０に対して往復摺動することができる。第２トレイ２５０に２つの押動部２５５が間隔を置いて配置される。この２つの押動部２５５は、何れも仮想線Ｌ上に位置し、即ち、仮想線Ｌはこの２つの押動部２５５を同時に通る。各ハードディスク２２１は、第２のトレイ２５０に物理的に接触し、同時に第１のトレイ２４０と第２のトレイ２５０上に配置される。
【００２５】
この実施形態において、このディスクアレイ装置２００は、サーバ設備１００内に組み合わせられる。例えば、サーバ設備１００のケース１１０内に摺動可能に設けられて、ケース１１０内に押し入れられ又はケース１１０から引き出されることができる。より詳細な記載において、ディスクアレイ装置２００は、ケース１１０内の上層領域１１０Ｕに摺動可能に設けられ、又は、ディスクアレイ装置２００の数が２つであってもよく、互いに間隔空間１１０Ｇを保つ。
【００２６】
しかしながら、本発明のディスクアレイ装置２００は、サーバ設備１００に適用するだけには限定されない。
【００２７】
図２Ｂは、図２Ａのハードディスク収納ユニット２３０の第２の引出状態を示す模式図である。図２Ｃは、図２Ａのハードディスク収納ユニット２３０の収納状態を示す模式図である。
【００２８】
図２Ａ及び図２Ｂを参照する。具体的には、第１のトレイ２４０は、底板２４１と、底板２４１の２つの対向する長辺上に位置し、何れも同じ方向（例えば、上方）へ延伸する２つの側壁２４３と、を含む。底板２４１は、第１の凸柱２４５Ａと、第２の凸柱２４５Ｂと、第１の搭載面２４２と、を有する。第１の搭載面２４２は、第２のトレイ２５０とハードディスク２２１（図１）を支持することができる。第１の凸柱２４５Ａと第２の凸柱２４５Ｂは、第１の搭載面２４２に立設（凸設）され、それぞれ上記の２つの位置制限部２４４として機能する。第１の凸柱２４５Ａと第２の凸柱２４５Ｂは、例えば、それぞれリベット、ねじ又はその他の類似する素子である。
【００２９】
第２のトレイ２５０は、盤体２５１と、少なくとも１つの線状開口２５６と、を含む。盤体２５１は、第２の搭載面２５２を有する。第２の搭載面２５２は、ハードディスクを支持し且つ物理的に接触する。線状開口２５６は、盤体２５１の第２の搭載面２５２に設置され、その２つの対向する内縁（以下、第１の内縁２５６Ａと第２の内縁２５６Ｂという）がそれぞれ上述した押動部２５５として機能する。第１の凸柱２４５Ａと第２の凸柱２４５Ｂの何れも、一端が第１のトレイ２４０の第１の搭載面２４２に接続され、他端が線状開口２５６を通る。例としては、図２Ａにおいて、第１の凸柱２４５Ａと第２の凸柱２４５Ｂは、例えば、円形のリベットであり、その他端が線状開口２５６から突き出た後、更に第２の搭載面２５２上に広がる（第２の搭載面２５２における線状開口２５６以外の部分に延びる）。
【００３０】
図２Ａに示す第１の引出状態は、第２のトレイ２５０が第１のトレイ２４０から最大幅に引き出された状態で、線状開口２５６の第１の内縁２５６Ａは、第１の凸柱２４５Ａに接触する。第２のトレイ２５０は、ハンドル部２６０を更に含む。ハンドル部２６０は、盤体２５１の第１の内縁２５６Ａから離隔した末端に位置し、どんな場合でも固定槽２３３の外側に位置し、使用者がハンドル部２６０で第２のトレイ２５０を固定槽２３３から引き出すために使われる。
【００３１】
理解すべきなのは、第１のトレイ２４０の第１の凸柱２４５Ａ、第２の凸柱２４５Ｂ、及び第２のトレイ２５０の線状開口２５６は、第１の搭載面２４２と第２の搭載面２５２のみに設けられる構成に限定されず、第１のトレイ２４０と第２のトレイ２５０のその他の隣接する側壁にも配置することができる。また、第１のトレイ２４０又は第２のトレイ２５０の摺動方式としては、その技術手段は限定されず、例えば、スライドレール、滑車、スライダ（sliding block）を採用し、又は単にトレイそのものによる方式で摺動するように構成してもよい。
【００３２】
このように、図２Ａの第２のトレイ２５０が摺動軸方向Ｓの滑り入り方向Ｓ１に沿って、第２の内縁２５６Ｂから第２の凸柱２４５Ｂまでの距離である第１の距離Ｄ１を摺動した後、第２のトレイ２５０全体が、第１のトレイ２４０の第１搭載面２４２上に位置し、線状開口２５６の第２の内縁２５６Ｂが第２の凸柱２４５Ｂに初めて接触する状態を（図２Ｂ）、第２の引出状態と称する。次に、第２の引出状態において、第２の内縁２５６Ｂが第２の凸柱２４５Ｂを押動することで、第１のトレイ２４０を摺動軸方向Ｓの滑り入り方向Ｓ１に沿って摺動させて、第２のトレイ２５０と第１のトレイ２４０の何れもが最終的に固定槽２３引出３内に押し入れられる状態を（図２Ｃ）、収納状態と称する。
【００３３】
図２Ｄは、図２Ａのハードディスク収納ユニット２３０の第３の引出状態を示す模式図である。
【００３４】
また、図２Ｃ及び図２Ｄを参照する。図２Ｃの第２のトレイ２５０が摺動軸方向Ｓの滑り出し方向Ｓ２へ、第１内縁の２５６Ａから第１の凸柱２４５Ａまでの距離で第１の距離Ｄ１と同じである第２の距離Ｄ２を摺動した後、線状開口２５６の第１の内縁２５６Ａが第１の凸柱２４５Ａに初めて接触する状態を（図２Ｄ）、第３の引出状態と呼ぶ。次に、第３の引出状態において、第１の内縁２５６Ａが第１の凸柱２４５Ａを押動することで、第１のトレイ２４０を摺動軸方向Ｓの滑り出し方向Ｓ２に沿って摺動させ、それにより第２のトレイ２５０と第１トレイ２４０の何れもが最終的に固定槽２３３から引き出され（図２Ａ）、第１の引出状態に戻る。
【００３５】
このように、ハードディスク２２１（図１）が第２のトレイ２５０の第２の搭載面２５２に水平に配置され、ハードディスク収納ユニット２３０が上記の第１の引出状態から第２の引出状態を介して収納状態になる場合のみ、ハードディスク２２１の第２のコネクタ２２２は、第１のコネクタ１１１に差し込まれ、情報の交換と電源の供給ができるようになる。
【００３６】
図３Ａ〜図３Ｂは、ハードディスク２２１がハードディスク収納ユニット２３０から取り出されるフローを示す模式図である。
【００３７】
また、ハードディスク収納ユニット２３０が、収納状態から上記の第３の引出状態を介して（図３Ａ）、上記の第１の引出状態になるまで操作される場合（図３Ｂ）には、ハードディスク２２１は、その第２のコネクタ２２２が既に第１のコネクタ１１１から離れている（図１）ため、もはや他の構造により固定されていない。従って、使用者は、片手でハードディスク２２１を持ち上げて、取り除き又は交換する目的を達成することができる。
【００３８】
しかしながら、第１のトレイ２４０の位置制限部と第２のトレイ２５０の押動部は、上記設計のみに限らず、下記のように変化させて変更又は運用することもできる。
【００３９】
図４Ａは、本発明の別の実施形態のハードディスク収納ユニット２３０Ａを示す斜視模式図である。
【００４０】
別の実施形態において、図４Ａに示すように、第２のトレイ２５０の構造は、図２Ａの構造と同じであり、その記載が上記と同じであるため、繰り返して説明はしない。しかしながら、第１のトレイ２４０は、線状凸縁２４６を更に含む。線状凸縁２４６は、第１のトレイ２４０の第１の搭載面２４２から突出して、第１のトレイ２４０の第１の搭載面２４２から線状開口２５６内に延伸するため、線状凸縁２４６の２つの対向する端部は、それぞれ上記位置制限部２４４として機能し、線状開口２５６の２つの対向する内縁は、それぞれ上述した押動部２５５として機能することができる。
【００４１】
しかしながら、第１のトレイ２４０の線状凸縁２４６と第２のトレイ２５０の線状開口２５６は、第１の搭載面２４２及び第２の搭載面２５２に設けられることに限らず、第１のトレイ２４０及び第２のトレイ２５０のその他の隣接する側壁に配置してもよい。
【００４２】
図４Ｂは、本発明の他の実施形態のハードディスク収納ユニット２３０Ｂを示す斜視模式図である。
【００４３】
図４Ｂに示すように、第１のトレイ２４０の構造は、図２Ａの構造と主に同じであり、両者の差異は、前記第１のトレイ２４０が、上記の側壁２４３に位置する線状切欠き２４７を更に含むことである。第２のトレイ２５０の構造は、図２Ａの構造と主に同じであり、両者の差異は、前記第２のトレイ２５０が延伸翼２５７を更に含むことである。延伸翼２５７は、盤体２５１の第２の搭載面２５２から第１のトレイ２４０の側壁２４３へ延び、線状切欠き２４７に摺動可能に摺接する。従って、延伸翼２５７の２つの対向する外縁は、それぞれ上記の押動部２５５として機能し、線状切欠き２４７の２つの対向する内縁は、それぞれ上述した位置制限部２４４として機能する。
【００４４】
しかしながら、第１のトレイ２４０の線状切欠き２４７及び第２のトレイ２５０の延伸翼２５７は、側壁２４３に設けることに限定されず、第１の搭載面２４２に配置されてもよい。
【００４５】
図５は、本発明の更に別の実施形態のハードディスク収納ユニット２３０Ｃを示す斜視模式図である。
【００４６】
図１及び図５に示すように、第２のトレイ２５０は、２つのストッパー２５３を更に含む。この２つのストッパー２５３は、盤体２５１におけるハンドル部２６０の対向側に位置し、上方へ突出する。このように、ハードディスク収納ユニット２３０Ｃが収納状態から上記の第３の引出状態まで操作される場合（図３Ａ）、即ち、ハードディスク収納ユニット２３０Ｃの第１のトレイ２４０が押動される前に、第２のトレイ２５０にこれらのストッパー２５３を連動して、ハードディスク２２１（図１）を押動する。図１を参照する。ハードディスク２２１の第２のコネクタ２２２は、第１のコネクタ１１１から離され、第１のコネクタ１１１に緊密に接続し過ぎて第２のトレイ２５０とともに固定槽２３３から突出できないことを避ける。
【００４７】
図２Ａに示すように、第２のトレイ２５０は、複数の線状隆起部２５８を更に含む。これらの線状隆起部２５８は、互いに平行で第２の搭載面２５２上に位置して、ハードディスクを物理的に接触し且つ支持するために用いられる。また、これらの線状隆起部２５８は、ハードディスクと線状接触して、ハードディスクと第２のトレイ２５０との摩擦力を低減する。
【００４８】
図６は、本発明の各実施形態のハードディスク収納ユニット２３０の係合ユニット２７０を示す簡易な模式図である。
【００４９】
図２Ｃ及び図６に示すように、第２のトレイ２５０は、係合ユニット２７０を有する。係合ユニット２７０は、タング部２７１と、操作部２７２と、ばね素子２７３と、を含む。タング部２７１は、ハンドル部２６０の内部空間２６１内に位置し、ハンドル部２６０の表面２６２から部分的に突出する。操作部２７２は、内部空間２６１内に位置し、タング部２７１に接続され、ハンドル部２６０の別の表面２６３から部分的に突出する。ばね素子２７３は、内部空間２６１内に位置し、タング部２７１及びハンドル部２６０に接続される。タング部２７１及び操作部２７２が押動されてばね素子２７３を押圧すると、ばね素子２７３は圧縮する。タング部２７１及び操作部２７２がばね素子２７３に対する押圧を止めると、ばね素子２７３によりタング部２７１及び操作部２７２が元の位置に戻る。
【００５０】
このように、ハードディスク収納ユニット２３０が収納状態になる場合、タング部２７１は、押動されて固定槽２３３の内壁の係合ノッチ２３２内に延びることで、係合ノッチ２３２（図２Ｃ）内に係合され、更に第２のトレイ２５０を制限して固定槽２３３から自在に摺動できないようにする。これに対して、操作部２７２が押動されて、タング部２７１が内部空間２６１内に縮み、係合ノッチ２３２から離れた後、第２のトレイ２５０は、固定槽２３３から自在に摺動できるようになる（図２Ａ）。
【００５１】
再度、図２Ａを参照する。第１のトレイ２４０は、位置制限されるように固定槽２３３内に設けられて、固定槽２３３から離れないように構成される。一例としては、第１のトレイ２４０は、２つの第１の係止部２５４を更に含む。各第１の係止部２５４は、例えば、第１のトレイ２４０の末端に位置する柱体である。固定槽２３３内には、２つの第２の係止部２３４がある。各第２の係止部２３４は、例えば、内壁の上表面から下方へ突出する柱体であり、第１の係止部２５４の運動ルートに位置する。このように、第２の係止部２３４が第１の係止部２５４を係止することで、第１のトレイ２４０は、固定槽２３３から離れないようになる。
【００５２】
最後、上記で開示された各実施例では、本発明を限定するものではなく、当業者なら誰でも、本発明の精神と領域から逸脱しない限り、多様の変更や修正を加えることができ、本発明に保護されることができる。従って、本発明の保護範囲は、後の特許請求の範囲で指定した内容を基準とする。
【符号の説明】
【００５３】
１００  サーバ設備
１１０  ケース
１１０Ｕ  上層領域
１１０Ｇ  間隔空間
１１１  第１のコネクタ
２００  ディスクアレイ装置
２１０  シャーシ
２１１  収納空間
２２０  ハードディスクユニット
２２１  ハードディスク
２２２  第２のコネクタ
２３０、２３０Ａ、２３０Ｂ、２３０Ｃ  ハードディスク収納ユニット
２３１  筐体
２３２  係合ノッチ
２３３  固定槽
２３４  第２の係止部
２４０  第１のトレイ
２４１  底板
２４２  第１の搭載面
２４３  側壁
２４４  位置制限部
２４５Ａ  第１の凸柱
２４５Ｂ  第２の凸柱
２４６  線状凸縁
２４７  線状切欠き
２５０  第２のトレイ
２５１  盤体
２５２  第２の搭載面
２５３  ストッパー
２５４  第１の係止部
２５５  押動部
２５６  線状開口
２５６Ａ  第１の内縁
２５６Ｂ  第２の内縁
２５７  延伸翼
２５８  線状隆起部
２６０  ハンドル部
２６１  内部空間
２６２、２６３  表面
２７０  係合ユニット
２７１  タング部
２７２  操作部
２７３  ばね素子
Ｄ１  第１の距離
Ｄ２  第２の距離
Ｌ  仮想線
Ｓ  摺動軸方向
Ｓ１  滑り入り方向
Ｓ２  滑り出し方向
【要約】
【課題】ディスクアレイ装置及びそのハードディスク収納ユニットを提供する。
【解決手段】このハードディスク収納ユニットは、固定槽と、第１のトレイと、第２のトレイと、を備える。第１のトレイは、固定槽内に往復摺動可能に設けられる。第２のトレイは、第１のトレイに往復摺動可能に位置制限される。第２のトレイは、摺動軸方向に沿って所定の距離で摺動すると、第１のトレイを押動して固定槽に入らせ、逆方向に摺動軸方向に沿ってこの距離で摺動すると、第１のトレイを押動して固定槽から突出させる。
【選択図】図２Ａ【図１】
0005603981.tif 000002
【図２Ａ】
0005603981.tif 000003
【図２Ｂ】
0005603981.tif 000004
【図２Ｃ】
0005603981.tif 000005
【図２Ｄ】
0005603981.tif 000006
【図３Ａ】
0005603981.tif 000007
【図３Ｂ】
0005603981.tif 000008
【図４Ａ】
0005603981.tif 000009
【図４Ｂ】
0005603981.tif 000010
【図５】
0005603981.tif 000011
【図６】
0005603981.tif 000012